(57)【要約】【課題】調湿装置において、調湿部材を効率よく振動させることによって、調湿部材の再生速度を早める。【解決手段】調湿ロータ（21）の端面（28）に直交する方向から見て、調湿ロータ（21）の外周面（29）に接触した状態で調湿ロータ（21）の外側に超音波発生器を配置する。【選択図】図１
2014167374.tif 000002
【特許請求の範囲】
【請求項１】
空気通路（17）を有するケーシング（11）と、
前記空気通路（17）に配置され且つ前記空気通路（17）の空気との間で水分の授受を行う吸着剤が表面に担持された多孔性の調湿部材（21）と、
前記吸着剤に吸着した水分が前記空気通路（17）の空気へ放出されるのを促進するように前記調湿部材（21）を振動させる振動部（1）とを備え、
前記調湿部材（21）は、前記空気通路（17）の長さ方向に対向し且つ前記空気通路（17）の空気が通過する一対の端面（28）と、前記空気通路（17）の長さ方向に延びて前記一対の端面（28）の間を接続する外縁面（29）とを有し、
前記振動部（1）は、前記調湿部材（21）の端面（28）に直交する方向から見て、前記調湿部材（21）の外縁面（29）に接触した状態で前記調湿部材（21）の外側に配置されていることを特徴とする調湿装置。
【請求項２】
請求項１において、
前記ケーシング（11）の空気通路（17）は、長さ方向に直交する断面が略矩形状に形成され、
前記調湿部材（21）は、前記空気通路（17）の長さ方向に直交する断面が略円形状に形成され、
前記振動部（1）は、前記調湿部材（21）の外縁面（29）に対向する前記空気通路（17）の隅部（26）に位置することを特徴とする調湿装置。
【請求項３】
請求項１又は２において、
前記ケーシング（11）の空気通路（17）は、給気通路（17a）と排気通路（17b）とで構成され、
前記調湿部材（21）は、前記給気通路（17a）と前記排気通路（17b）とに跨って回転可能に配置され且つ前記給気通路（17a）の空気の水分を吸着する吸着領域（24）と前記排気通路（17b）の空気へ水分を放出する再生領域（23）とを有し、
前記振動部（1）は、前記調湿部材（21）の再生領域（23）側の外縁面（29）に接触していることを特徴とする調湿装置。
【請求項４】
請求項１から３の何れか１つにおいて、
前記振動部（1）は、前記調湿部材（21）との接触面が前記調湿部材（21）の外縁面（29）に沿う形状に形成されていることを特徴とする調湿装置。
【請求項５】
請求項４において、
前記振動部（1）を前記調湿部材（21）へ押し付ける押付部（4）を備えていることを特徴とする調湿装置。
【請求項６】
請求項１から５の何れか１つにおいて、
前記振動部（1）は、前記調湿部材（21）との接触面を通じて超音波を前記調湿部材（21）へ照射させることを特徴とする調湿装置。
【請求項７】
請求項６において、
前記振動部（1）から発射される超音波の速度を検出する検出部（51）と、
前記振動部（1）の動作を制御する制御部（50）とを備え、
前記制御部（50）には、超音波の速度と空気の湿度との相関関係に基いて前記検出部（51）の検出値から空気の湿度を演算する演算部（52）と、前記演算部（52）の演算値に基いて前記振動部（1）の超音波の大きさを調整する調整部（53）とが設けられていることを特徴とする調湿装置。
【発明の詳細な説明】
【技術分野】
【０００１】
本発明は、空気を調湿する調湿部材を備えた調湿装置に関し、特に調湿部材の再生速度の低減対策に係るものである。
【背景技術】
【０００２】
従来より、空気との間で水分の授受を行う吸着剤が表面に担持された多孔性の調湿部材を備えた調湿装置が知られている。そして、これらの調湿装置の中には、特許文献１に示すように、調湿部材としての吸湿ロータに超音波を照射する超音波発生部（振動部）が設けられているものがある。吸湿ロータに超音波を照射することにより、吸湿ロータから空気への水分の放出が促進され、吸湿ロータの再生速度が早まる。
【先行技術文献】
【特許文献】
【０００３】
【特許文献１】特開２００３−１７２５２７号公報
【発明の概要】
【発明が解決しようとする課題】
【０００４】
しかしながら、従来の調湿装置の場合、調湿部材と振動部とが離れた状態で配置されている。振動部から調湿部材へ照射される超音波は、振動部と調湿部材との間の空気によって減衰した状態で調湿部材へ到達する。超音波が減衰した分だけ調湿部材の振動が減少してしまい、調湿部材の再生速度が遅くなってしまう。
【０００５】
また、振動部は、調湿部材の端面（空気が通過する面）に対向するように配置されているので、振動部が、調湿部材へ向かう空気の通風抵抗となって、調湿部材を通過する空気の量が減少してしまい、調湿部材の再生速度が遅くなってしまう。
【０００６】
本発明は、かかる点に鑑みてなされたものであり、その目的は、調湿部材を効率よく振動させることによって、調湿部材の再生速度を早めることにある。
【課題を解決するための手段】
【０００７】
第１の発明は、空気通路（17）を有するケーシング（11）と、前記空気通路（17）に配置され且つ前記空気通路（17）の空気との間で水分の授受を行う吸着剤が表面に担持された多孔性の調湿部材（21）と、前記吸着剤に吸着した水分が前記空気通路（17）の空気へ放出されるのを促進するように前記調湿部材（21）を振動させる振動部（1）とを備え、前記調湿部材（21）は、前記空気通路（17）の長さ方向に対向し且つ前記空気通路（17）の空気が通過する一対の端面（28）と、前記空気通路（17）の長さ方向に延びて前記一対の端面（28）の間を接続する外縁面（29）とを有し、前記振動部（1）は、前記調湿部材（21）の端面（28）に直交する方向から見て、前記調湿部材（21）の外縁面（29）に接触した状態で前記調湿部材（21）の外側に配置されている調湿装置である。
【０００８】
第１の発明では、振動部（1）を調湿部材（21）の外側に配置して、振動部（1）が、調湿部材（21）へ向かう空気の通風抵抗とならないようにした。また、振動部（1）を調湿部材（21）の外縁面（29）に接触させて、この接触面を通じて調湿部材（21）を直接的に振動させるようにした。これにより、振動部（1）から調湿部材（21）へ減衰することなく振動が伝播する。
【０００９】
第２の発明は、第１の発明において、前記ケーシング（11）の空気通路（17）は、長さ方向に直交する断面が略矩形状に形成され、前記調湿部材（21）は、前記空気通路（17）の長さ方向に直交する断面が略円形状に形成され、前記振動部（1）は、前記調湿部材（21）の外縁面（29）に対向する前記空気通路（17）の隅部（26）に位置する。
【００１０】
第２の発明では、前記ケーシング（11）の空気通路（17）の隅部（26）、つまり空気通路（17）と調湿部材（21）との間の空間であるデッドスペースに振動部（1）を配置するようにした。
【００１１】
第３の発明は、第１又は第２の発明において、前記ケーシング（11）の空気通路（17）は、給気通路（17a）と排気通路（17b）とで構成され、前記調湿部材（21）は、前記給気通路（17a）と前記排気通路（17b）とに跨って回転可能に配置され且つ前記給気通路（17a）の空気の水分を吸着する吸着領域（24）と前記排気通路（17b）の空気へ水分を放出する再生領域（23）とを有し、前記振動部（1）は、前記調湿部材（21）の再生領域（23）側の外縁面（29）に接触している。
【００１２】
第３の発明では、調湿部材（21）の再生領域（23）、つまり調湿部材（21）が排気通路（17b）の空気へ水分を放出している部位が最も大きく振動する。
【００１３】
第４の発明は、第１から第３の何れか１つの発明において、前記振動部（1）は、前記調湿部材（21）との接触面が前記調湿部材（21）の外縁面（29）に沿う形状に形成されている。
【００１４】
第４の発明では、振動部（1）の接触面を調湿部材（21）の外縁面（29）に沿わない形状に形成した場合に比べて、振動部（1）と調湿部材（21）との接触面積が拡大する。
【００１５】
第５の発明は、第４の発明において、前記振動部（1）を前記調湿部材（21）へ押し付ける押付部（4）を備えている。
【００１６】
第５の発明では、振動部（1）が、調湿部材（21）から離れることなく、調湿部材（21）にしっかりと密着する。
【００１７】
第６の発明は、第１から第５の何れか１つの発明において、前記振動部（1）は、前記調湿部材（21）との接触面を通じて超音波を前記調湿部材（21）へ照射させる。
【００１８】
第６の発明では、振動部（1）から調湿部材（21）へ照射される超音波によって、調湿部材（21）が振動する。
【００１９】
第７の発明は、第６の発明において、前記振動部（1）から発射される超音波の速度を検出する検出部（51）と、前記振動部（1）の動作を制御する制御部（50）とを備え、前記制御部（50）には、超音波の速度と空気の湿度との相関関係に基いて前記検出部（51）の検出値から空気の湿度を演算する演算部（52）と、前記演算部（52）の演算値に基いて前記振動部（1）の超音波の大きさを調整する調整部（53）とが設けられている。
【００２０】
第７の発明では、振動部（1）から発射される超音波の速度から空気の湿度を演算し、その演算した湿度に基いて、振動部（1）の超音波の大きさを調整する。
【発明の効果】
【００２１】
本発明によれば、調湿部材（21）の端面（28）に直交する方向から見て、調湿部材（21）の外縁面（29）に接触した状態で調湿部材（21）の外側に振動部（1）を配置するようにしたので、振動部（1）が、調湿部材（21）へ向かう空気の通風抵抗とならず、従来に比べて、調湿部材（21）を通過する空気の量を増加させることができる。また、振動部（1）と調湿部材（21）とを接触させるようにしたので、振動部（1）から調湿部材（21）へ減衰することなく振動が伝播し、従来に比べて、調湿部材（21）の振動を大きくすることができる。
【００２２】
これにより、調湿部材（21）を効率よく振動させることができ、従来に比べて、調湿部材（21）の再生速度を早めることができる。
【００２３】
また、前記第２の発明によれば、調湿部材（21）の外縁面（29）に対向する空気通路（17）の隅部（26）に振動部（1）を配置するようにしたので、空気通路（17）のデッドスペースを振動部（1）の設置場所として有効に利用することができる。これにより、振動部（1）を設けるためにケーシング（11）を大きくする必要がなく、調湿装置の小型化を図ることができる。
【００２４】
また、前記第３の発明によれば、振動部（1）を調湿部材（21）の再生領域（23）側の外縁面（29）に接触させるようにしたので、再生領域（23）を最も大きく振動させることができ、調湿部材（21）の再生速度をさらに早めることができる。
【００２５】
また、前記第４の発明によれば、振動部（1）において、調湿部材（21）との接触面を調湿部材（21）の外縁面（29）に沿う形状に形成するようにしたので、前記接触面を調湿部材（21）の外縁面（29）に沿わない形状に形成した場合に比べて、振動部（1）と調湿部材（21）との接触面積を拡大させることができ、調湿部材（21）をさらに大きく振動させることができる。これにより、調湿部材（21）の再生速度を早めることができる。
【００２６】
また、前記第５の発明によれば、振動部（1）を調湿部材（21）へ押し付ける押付部（4）を備えるようにしたので、振動部（1）を調湿部材（21）にしっかりと密着させることができ、振動部（1）から調湿部材（21）へ確実に振動を伝播させることができる。
【００２７】
また、前記第６の発明によれば、振動部（1）において、調湿部材（21）との接触面を通じて超音波を調湿部材（21）へ照射させるようにしたので、この超音波によって調湿部材（21）を振動させることができる。
【００２８】
また、前記第７の発明によれば、振動部（1）から発射される超音波の速度から空気の湿度を演算するようにしたので、空気の湿度を直接的に測定する必要がなくなる。
【図面の簡単な説明】
【００２９】
【図１】図１は、実施形態１の調湿装置を示す斜視図である。
【図２】図２は、実施形態１の調湿装置の調湿部の断面図である。
【図３】図３は、実施形態１の超音波発生部と超音波レシーバとコントローラとの関係を示す図である。
【図４】図４は、実施形態２の調湿装置の簡略図に第１状態の空気の流れを示した図である。
【図５】図５は、実施形態２の調湿装置の簡略図に第２状態の空気の流れを示した図である。
【図６】図６は、実施形態２の超音波発生部と超音波レシーバとコントローラとの関係を示す図である。
【発明を実施するための形態】
【００３０】
以下、本発明の実施形態を図面に基づいて詳細に説明する。
【００３１】
《発明の実施形態１》
本発明の実施形態１について説明する。
【００３２】
実施形態１の調湿装置（10）は、室外の空気を除湿して室内へ供給するものである。この調湿装置（10）は、図１に示すように、略直方体形状で横長のケーシング（11）を備えている。このケーシング（11）には、給気ファン（35）、排気ファン（36）、再生コイル（37）、冷却コイル（38）、顕熱熱交換部（30）、及び調湿部（20）が収容されている。
【００３３】
ケーシング（11）は、横方向に対向する一対の側板（11a,11b）を有している。一方の側板（11a）の上部に内気吸込口（14）が形成され、一方の側板（11a）（図１の左側）の下部に給気口（15）が形成されている。他方の側板（11b）（図１の右側）の上部に排気口（13）が形成され、他方の側板（11b）の下部に外気吸込口（12）が形成されている。
【００３４】
ケーシング（11）の内部には、空気通路（17）が形成されている。この空気通路（17）は、仕切板（18）によって上下に区画されている。下側の空気通路（17）が給気通路（17b）を構成して、上側の空気通路（17）が排気通路（17a）を構成する。給気通路（17b）は、外気吸込口（12）及び給気口（15）に連通している。排気通路（17a）は、内気吸込口（14）及び排気口（13）に連通している。
【００３５】
給気ファン（35）は、ケーシング（11）の右側の側板（11b）に面するように給気通路（17b）内に配置されている。給気ファン（35）は、外気吸込口（12）から給気口（15）への空気流れを給気通路（17b）内に形成するものである。
【００３６】
排気ファン（36）は、ケーシング（11）の右側の側板（11b）に面するように排気通路（17a）内に配置されている。排気ファン（36）は、内気吸込口（14）から排気口（13）への空気流れを排気通路（17a）内に形成するものである。
【００３７】
再生コイル（37）は、ケーシング（11）の排気通路（17a）の長さ方向の中間位置に配置されている。再生コイル（37）は図示しない熱源機に接続され、熱源機から送られる温水と排気通路（17a）の空気とを熱交換して、排気通路（17a）の空気を加熱するものである。
【００３８】
冷却コイル（38）は、ケーシング（11）の左側の側板（11a）に面するように給気通路（17b）内に配置されている。冷却コイル（38）は図示しない熱源機に接続され、熱源機から送られる冷水と給気通路（17b）の空気とを熱交換して、給気通路（17b）の空気を冷却するものである。
【００３９】
顕熱熱交換部（30）は、再生コイル（37）と冷却コイル（38）との間に位置し、給気通路（17b）と排気通路（17a）とに跨って配置されている。顕熱熱交換部（30）の上半分は排気通路（17a）に面し、顕熱熱交換部（30）の下半分は給気通路（17b）に面している。
【００４０】
顕熱熱交換部（30）は、顕熱ロータ（31）、顕熱ロータ側駆動軸（33）、及び顕熱ロータ側支持部（32）を備えている。
【００４１】
顕熱ロータ（31）は、軸方向両端面を空気が通過するように構成されている。顕熱ロータ（31）の中心部には、顕熱ロータ側駆動軸（33）が軸方向へ貫通して固定されている。図示しない駆動機構が顕熱ロータ側駆動軸（33）を回転させることにより、顕熱ロータ（31）が回転する。
【００４２】
顕熱熱交換部（30）の顕熱ロータ側支持部（32）は、中空の直方体状に形成されている。顕熱ロータ側支持部（32）は、ケーシング（11）の横方向に対向する略矩形の一対の端板と、前記一対の端板間の４つの側板とを有している。顕熱ロータ側支持部（32）の側板がケーシング（11）に固定されている。
【００４３】
顕熱ロータ（31）は、これら一対の端板に挟まれた状態で顕熱ロータ側支持部（32）の内部に回転自在に収容されている。顕熱ロータ側支持部（32）の一対の端板には、それぞれ円形の顕熱ロータ側通風口（39）が形成されている。顕熱ロータ側通風口（39）を通じて顕熱ロータ（31）へ空気が流出入する。給気通路（17b）の空気は、顕熱ロータ（31）の下半分を右側から左側へ向かって流れて、排気通路（17a）の空気は、顕熱ロータ（31）の上半分を左側から右側へ向かって流れる。顕熱ロータ（31）を回転させることにより、給気通路（17b）の空気の熱を排気通路（17a）の空気へ効率よく伝えるように構成されている。
【００４４】
〈調湿部の構成〉
調湿部（20）は、給気ファン（35）及び排気ファン（36）と再生コイル（37）との間に位置し、給気通路（17b）と排気通路（17a）とに跨って配置されている。調湿部（20）の上半分は排気通路（17a）に面し、調湿部（20）の下半分は給気通路（17b）に面している。調湿部（20）は、調湿部材としての調湿ロータ（21）、調湿ロータ側駆動軸（25）、調湿ロータ側支持部（22）、及び振動部としての超音波発生器（1）を備えている。
【００４５】
調湿ロータ（21）は、表面に吸着剤（例えば、粒状のゼオライト）が担持された多孔性の基材を円板状のハニカム構造に成形することにより構成されている。
【００４６】
調湿ロータ（21）は、一対の円形状の端面（28）と、外縁面としての円筒状の外周面（29）とを有している。調湿ロータ（21）は、一対の端面（28）がケーシング（11）の空気通路（17）の長さ方向に対向し、且つ外周面（29）がケーシング（11）の空気通路（17）の長さ方向に延びるように配置されている。一対の円形状の端面（28）を空気が通過するように構成されている。
【００４７】
調湿ロータ（21）は、その中心部に調湿ロータ側駆動軸（25）が軸方向へ貫通して固定されている。図示しない駆動機構が調湿ロータ側駆動軸（25）を回転させることにより、調湿ロータ（21）が回転する。
【００４８】
調湿ロータ側支持部（22）は、中空の直方体状に形成されている。調湿ロータ側支持部（22）は、ケーシング（11）の空気通路（17）の長さ方向に対向する略矩形の一対の端板と、前記一対の端板間の４つの側板とを有している。調湿ロータ側支持部（22）において、４つの側板のうち空気通路（17）の幅方向に対向する側板がケーシング（11）の内面に固定されている。
【００４９】
調湿ロータ（21）は、調湿ロータ側支持部（22）の一対の端板に挟まれた状態で調湿ロータ側支持部（22）の内部に回転自在に収容されている。図２に示すように、調湿ロータ（21）の軸方向から見て、調湿ロータ（21）は、その中心が調湿ロータ側支持部（22）の中央に位置するように配置されている。矩形状の調湿ロータ側支持部（22）の内側に円形状の調湿ロータ（21）が位置することにより、調湿ロータ側支持部（22）の隅部にはデッドスペース（26）が形成され、このデッドスペース（26）に超音波発生器（1）が配置されている。この超音波発生器（1）については、詳しく後述する。調湿ロータ側支持部（22）の一対の端板には、それぞれ円形の調湿ロータ側通風口（27）が形成されている。調湿ロータ側通風口（27）を通じて調湿ロータ（21）へ空気が流出入する。
【００５０】
調湿ロータ（21）は、再生領域（23）と吸着領域（24）とを有している（図２を参照）。調湿ロータ（21）の吸着領域（24）は、調湿ロータ（21）の下半分を占める半円状の領域である。給気通路（17b）の空気は、調湿ロータ（21）の左側の端面（28）から吸着領域（24）へ流入する。この空気が吸着領域（24）の内部を通過する際に、空気の水分が吸着剤に吸着される。低湿となった空気は調湿ロータ（21）の右側の下半分の端面（28）を通じて吸着領域（24）から流出する。
【００５１】
調湿ロータ（21）の再生領域（23）は、調湿ロータ（21）の上半分の一部分を占める扇状の領域である。排気通路（17a）の空気は、調湿ロータ（21）の左側の端面（28）から再生領域（23）へ流入する。この空気は再生領域（23）の内部を通過する際に、吸着剤から水分を付与される。高湿となった空気は調湿ロータ（21）の右側の端面（28）を通じて再生領域（23）から流出する。これにより、調湿ロータ（21）の再生領域（23）の吸着剤の水分が減少して、再生領域（23）の吸着剤が再生する。その後、調湿ロータ（21）の回転により、再生領域（23）の部分が吸着領域（24）となり、吸着領域（24）の部分が再生領域（23）となることによって、吸着領域（24）で空気の除湿が行われると同時に再生領域（23）で吸着剤の再生が行われる。
【００５２】
−超音波発生器−
超音波発生器（1）は、上述したように、調湿ロータ側支持部（22）の内部に収容されている（図２を参照）。ここで、ケーシング（11）の空気通路（17）は、長さ方向に直交する断面が略矩形状に形成されている。また、調湿ロータ（21）は、空気通路（17）の長さ方向に直交する断面が円形状である。略矩形状の空気通路（17）の内側に円形状の調湿ロータ（21）が配置されることにより、空気通路（17）の隅部にはデッドスペースが形成されている。超音波発生器（1）と空気通路（17）との位置関係において、空気通路（17）の隅部のデッドスペースに超音波発生器（1）が位置している。また、超音波発生器（1）と調湿ロータ（21）との関係において、調湿ロータ（21）の外側に超音波発生器（1）が位置している。
【００５３】
超音波発生器（1）は、超音波振動子（3）、超音波輻射板（2）、押付機構としてのバネ部材（4）、及び固定台（5）とを備えている。
【００５４】
超音波発生器（1）の超音波振動子（3）は、調湿ロータ（21）を振動させるための超音波を発生するものである。具体的には、超音波振動子（3）が、吸着剤に吸着した水分が空気へ放出されるのを促進するように調湿ロータ（21）を振動させるための超音波を発生する。超音波振動子（3）は圧電素子で構成されている。この超音波振動子（3）は、後述するコントローラ（50）の指令に応じて超音波を発生する。
【００５５】
超音波輻射板（2）は、超音波振動子（3）の超音波を調湿ロータ（21）へ伝播させるものである。この超音波輻射板（2）は、アルミ又は銅等の超音波を伝播し易い材料で形成されている。超音波輻射板（2）は、調湿ロータ（21）の再生領域の外周面（29）に接触した状態で超音波振動子（3）に固定されている。超音波輻射板（2）における調湿ロータ（21）との接触面は、調湿ロータ（21）の外周面に沿う曲面に形成されている。調湿ロータ（21）は、超音波輻射板（2）の接触面を擦りながら回転する。
【００５６】
バネ部材（4）は、超音波輻射板（2）の曲面を調湿ロータ（21）の再生領域の外周面（29）に押し付けるためのものである。バネ部材（4）の一端が超音波振動子（3）に固定され、バネ部材（4）の他端が固定台（5）に固定されている。固定台（5）は、調湿ロータ支持部（22）の内面に固定されている。
【００５７】
〈コントローラ〉
実施形態１の調湿装置（10）は、図３に示すように、超音波発生器（1）の動作を制御する制御部としてのコントローラ（50）を備えている。コントローラ（50）は、演算部（52）と調整部（53）とを有している。また、コントローラ（50）には、超音波発生器（1）と超音波レシーバ（51）とが電気的に接続されている。本実施形態１では、超音波レシーバ（51）が、ケーシング（11）の排気通路（17a）における調湿部（20）の下流側に配置されている。
【００５８】
超音波レシーバ（51）は、超音波発生器（1）の超音波の速度を検出する。コントローラ（50）には、超音波の速度と空気の相対湿度との相関関係を示す相関式が記憶されている。演算部（52）は、この相関式に基いて、超音波レシーバ（51）の検出値から排気通路（17a）の出口空気の相対湿度を演算する。
【００５９】
コントローラ（50）の調整部（53）は、演算部（52）で演算した相対湿度に基いて、超音波発生器（1）の超音波の強さを調整し、給気通路（17b）の出口空気の相対湿度が目標湿度になるようにする。
【００６０】
尚、演算部（52）の演算に関し、超音波が空気を伝播する場合、相対湿度によって超音波の減衰率が異なるため、超音波レシーバ（51）で検出した超音波の減衰率（検出した超音波強度/超音波の発生強度）から、空気の相対湿度を算出する。調整部（53）は、演算部（52）が演算した空気の相対湿度が所定値以下の場合に超音波の強度を増大させ、演算部（52）が演算した空気の相対湿度が所定値よりも大きい場合に超音波の強度を減少させる。
【００６１】
−運転動作−
調湿装置（10）において、給気ファン（35）と排気ファン（36）とが駆動すると、外気（OA）がケーシング（11）の給気通路（17b）へ流入し、調湿部（20）の調湿ロータ（21）の吸着領域（24）で除湿され、顕熱熱交換部（30）の顕熱ロータ（31）、冷却コイル（38）の順で冷却された後に給気通路（17b）から流出して、給気（SA）として室内へ供給される。
【００６２】
一方、室内からの還気（RA）は、ケーシング（11）の排気通路（17a）へ流入し、顕熱熱交換部（30）の顕熱ロータ（31）、再生コイル（37）の順で加熱され、調湿部（20）の調湿ロータ（21）の再生領域（23）で加湿される。このとき、再生領域（23）の吸着剤が水分を放出することによって再生する。調湿ロータ（21）の再生領域（23）を流出した空気は、排気通路（17a）から流出して、排気（EA）として室外へ排出される。
【００６３】
ここで、超音波発生器（1）から調湿ロータ（21）の再生領域（23）へ照射される超音波により、特に再生領域（23）が強く振動して、再生領域（23）の吸着剤の表面近傍に形成される空気の速度境界層が薄くなって、吸着剤の表面近傍の空気速度が速くなる。これにより、吸着剤から空気への水分の放出が促進され、調湿ロータ（21）を振動させない場合に比べて、吸着剤の再生速度が早まる。
【００６４】
−実施形態１の効果−
本実施形態１によれば、調湿ロータ（21）の端面（28）に直交する方向から見て、調湿ロータ（21）の外周面（29）に接触した状態で調湿ロータ（21）の外側に超音波発生器（1）を配置するようにしたので、超音波発生器（1）が、調湿ロータ（21）へ向かう空気の通風抵抗とならず、従来に比べて、調湿ロータ（21）を通過する空気の量を増加させることができる。
【００６５】
また、超音波発生器（1）と調湿ロータ（21）とを接触させるようにしたので、超音波発生器（1）から調湿ロータ（21）へ減衰することなく振動が伝播し、従来に比べて、調湿ロータ（21）の振動を大きくすることができる。
【００６６】
これにより、調湿ロータ（21）を効率よく振動させることができ、従来に比べて、調湿ロータ（21）の再生速度を早めることができる。
【００６７】
また、本実施形態１によれば、調湿ロータ（21）の外周面（29）に対向する調湿ロータ側支持部（22）の隅部（26）に超音波発生器（1）を配置するようにした。これは、超音波発生器（1）と空気通路（17）との配置関係において、超音波発生器（1）が空気通路（17）の隅部のデッドスペースに位置する。これにより、空気通路（17）のデッドスペースを超音波発生器（1）の設置場所として有効に利用することができる。これにより、超音波発生器（1）を設けるためにケーシング（11）を大きくする必要がなく、調湿装置（10）の小型化を図ることができる。
【００６８】
また、本実施形態１によれば、超音波発生器（1）を調湿ロータ（21）の再生領域（23）側の外周面（29）に接触させるようにしたので、再生領域（23）を最も大きく振動させることができ、調湿ロータ（21）の再生速度をさらに早めることができる。
【００６９】
また、本実施形態１によれば、超音波発生器（1）において、調湿ロータ（21）との接触面を調湿ロータ（21）の外周面（29）に沿う円筒面に形成するようにしたので、接触面を調湿ロータ（21）の外周面（29）に沿わない形状に形成した場合に比べて、超音波発生器（1）と調湿ロータ（21）との接触面積を拡大させることができ、調湿ロータ（21）をさらに大きく振動させることができる。これにより、調湿ロータ（21）の再生速度を早めることができる。
【００７０】
また、本実施形態１によれば、超音波発生器（1）を調湿ロータ（21）へ押し付けるバネ部材（4）を備えるようにしたので、超音波発生器（1）を調湿ロータ（21）にしっかりと密着させることができ、超音波発生器（1）から調湿ロータ（21）へ確実に振動を伝播させることができる。
【００７１】
また、本実施形態１によれば、超音波発生器（1）から発射される超音波の速度を超音波レシーバ（51）で測定し、その測定結果に基いてコントローラ（50）が空気の湿度を演算するようにしたので、空気の湿度を直接的に測定する必要がなくなる。
【００７２】
《発明の実施形態２》
以下、本発明の実施形態２について説明する。
【００７３】
実施形態２の調湿装置（10）は、図４に示すように、略直方体形状のケーシング（11）を備えている。このケーシング（11）には、給気ファン（35）、排気ファン（36）、第１流路切換部（60）、第２流路切換部（61）、調湿部材（21）としての第１調湿ブロック（21a）及び第２調湿ブロック（21b）が収容されている。
【００７４】
第１調湿ブロック（21a）及び第２調湿ブロック（21b）は、表面に吸着剤（例えば、粒状のゼオライト）が担持された多孔性の基材を直方体状のハニカム構造に成形することにより構成されている。各調湿ブロック（21a,21b）は、一対の矩形状の端面（28）と、
端面（28）の上下方向に対向する外縁面としての上面及び外縁面（29）と、端面（28）の幅方向に対向する外縁面としての２つの側面とを有している（図６を参照）。これらの面は平面状に形成されている。
【００７５】
ケーシング（11）は、対向する一対の側板を有し、一方の側板（図４の左側）に内気吸込口（14）と給気口（15）とが形成され、他方の側板（図４の右側）に外気吸込口（12）と排気口（13）とが形成されている。ケーシング（11）の内部は、一対の側板に直交する仕切板によって２つの空間に区画されている。一方の空間に給気ファン（35）と第１調湿ブロック（21a）とが配置され、他方の空間に排気ファン（36）と第２調湿ブロック（21b）とが配置されている。また、第１調湿ブロック（21a）及び第２調湿ブロック（21b）の両側に第１流路切換部（60）と第２流路切換部（61）とが２つの空間に跨って配置されている。
【００７６】
このケーシング（11）の内部において、外気吸込口（12）と給気口（15）とを連通する通路が給気通路（17a）を構成し、内気吸込口（14）と排気口（13）とが連通する通路が排気通路（17b）を構成する。
【００７７】
第１流路切換部（60）と第２流路切換部（61）は、各々が複数のダンパ（図示なし）を有している。各流路切換部（60,61）は、複数のダンパによって第１状態（図４を参照）と第２状態（図５を参照）とに交互に切り換わるように構成されている。この切換動作により、各通路（17a,17b）と各調湿ブロック（21a,21b）との連通状態が切り換わる。
【００７８】
給気通路（17a）は、各流路切換部（60,61）が第１状態のときに第１調湿ブロック（21a）に連通し、第２状態のときに第２調湿ブロック（21b）に連通する。
【００７９】
排気通路（17b）は、各流路切換部（60,61）が第１状態のときに第２調湿ブロック（21b）に連通し、第２状態のときに第１調湿ブロック（21a）に連通する。
【００８０】
各流路切換部（60,61）が第１状態のときに、第１調湿ブロック（21a）が給気通路（17a）の空気の水分を吸着して除湿すると同時に、第２調湿ブロック（21b）が排気通路（17b）の空気へ水分を放出して第２調湿ブロック（21b）の吸着剤を再生する。
【００８１】
各流路切換部（60,61）が第２状態へ切り換わると、第２調湿ブロック（21b）が給気通路（17a）の空気の水分を吸着して除湿すると同時に、第１調湿ブロック（21a）が排気通路（17b）の空気へ水分を放出して第１調湿ブロック（21a）の吸着剤を再生する。
【００８２】
このように、各流路切換部（60,61）を第１状態と第２状態との間で交互に切り換えることにより、給気通路（17a）の空気が常に除湿されると同時に、排気通路（17b）の調湿ブロック（21a,21b）が常に再生される。
【００８３】
−超音波発生器−
図６に示すように、超音波発生器（1）は、第１調湿ブロック（21a）及び第２調湿ブロック（21b）にそれぞれ設けられている。超音波発生器（1）は、調湿ブロック（21a,21b）の端面（28）に直交する方向から見て、調湿ブロック（21a,21b）の外縁面（29）に接触した状態で調湿ブロック（21a,21b）の下側、あるいは上側に配置されている。本実施形態２では、超音波発生器（1）は調湿ブロック（21a,21b）の下側に設置されている。
【００８４】
超音波発生器（1）は、調湿ブロック（21a,21b）の吸着剤に吸着した水分が空気へ放出されるのを促進するように調湿ブロック（21a,21b）を振動させるための超音波を発生する。
【００８５】
〈コントローラ〉
この調湿装置（10）は、図６に示すように、超音波発生器（1）の動作を制御する制御部としてのコントローラ（50）を備えている。コントローラ（50）は、演算部（52）と調整部（53）とを有している。また、コントローラ（50）には、超音波発生器（1）と超音波レシーバ（51）とが電気的に接続されている。本実施形態１では、超音波レシーバ（51）が、ケーシング（11）の排気通路（17a）における調湿ブロック（21a,21b）の下流側に配置されている。コントローラ（50）と超音波レシーバ（51）との構成は、上述した実施形態１と同じであるため、説明は省略する。
【００８６】
また、コントローラ（50）は、流路切換部（60,61）の切換動作に連動して、吸着剤を再生している側の調湿ブロック（21a,21b）の超音波発生器（1）を作動させ、吸着剤が水分を吸着している側の調湿ブロック（21a,21b）の超音波発生器（1）を停止させる。これにより、吸着剤が水分を吸着している側の調湿ブロック（21a,21b）を無駄に振動させることがない。
【００８７】
−実施形態２の効果−
本実施形態２によれば、調湿ブロック（21a,21b）の端面（28）に直交する方向から見て、調湿ブロック（21a,21b）の外縁面（29）に接触した状態で調湿ブロック（21a,21b）の下側に超音波発生器（1）を配置するようにしたので、超音波発生器（1）が、調湿ブロック（21a,21b）へ向かう空気の通風抵抗とならず、従来に比べて、調湿ブロック（21a,21b）を通過する空気の量を増加させることができる。
【００８８】
また、超音波発生器（1）と調湿ブロック（21a,21b）とを接触させるようにしたので、振動が超音波発生器（1）から調湿ブロック（21a,21b）へ減衰することなく伝播し、従来に比べて、調湿ブロック（21a,21b）の振動を大きくすることができる。
【００８９】
これにより、調湿ブロック（21a,21b）を効率よく振動させることができ、従来に比べて、調湿ブロック（21a,21b）の再生速度を早めることができる。
【００９０】
また、本実施形態２によれば、超音波発生器（1）において、調湿ブロック（21a,21b）との接触面を調湿ブロック（21a,21b）の外縁面（29）に沿う平面に形成するようにしたので、接触面を調湿ブロック（21a,21b）の外縁面（29）に沿わない形状に形成した場合に比べて、超音波発生器（1）と調湿ブロック（21a,21b）との接触面積を拡大させることができ、調湿ブロック（21a,21b）をさらに大きく振動させることができる。これにより、調湿ブロック（21a,21b）の再生速度を早めることができる。
【００９１】
また、本実施形態２によれば、超音波発生器（1）から発射される超音波の速度を超音波レシーバ（51）で測定し、その測定結果に基いてコントローラ（50）が空気の湿度を演算するようにしたので、空気の湿度を直接的に測定する必要がなくなる。
【００９２】
《その他の実施形態》
前記実施形態については、以下のような構成としてもよい。
【００９３】
実施形態１及び実施形態２では、調湿部材（21）を振動させる振動部（1）が超音波発生器（1）で構成されていたが、これに限定されず、超音波以外の方向で調湿部材（21）を振動させてもよい。
【００９４】
また、実施形態１では、超音波発生器（1）の超音波輻射板（2）を調湿ロータ（21）の上側の外縁面（29）にバネ部材（4）を介して押し付けていたが、これに限定されず、それ以外の外縁面（29）の箇所に超音波輻射板（2）を押し付けるようにしてもよい。
【００９５】
また、実施形態２では、超音波発生器（1）の超音波輻射板（2）を調湿ブロック（21a,21b）の外縁面（29）に押し付けていたが、これに限定されず、超音波輻射板（2）を調湿ブロック（21a,21b）の上面、又は側面に押し付けるようにしてもよい。この場合には、バネ部材（4）等の押付部を利用することにより、効果的に超音波輻射板（2）を調湿ブロック（21a,21b）に押し付けることができる。
【００９６】
また、実施形態１及び実施形態２では、超音波レシーバ（51）をケーシング（11）の排気通路（17a）の調湿部材（21）の下流側に配置したが、これに限定されず、ケーシング（11）の給気通路（17b）の下流側に設けてもよい。この場合であっても、コントローラ（50）により、超音波発生器（1）の超音波の強さを調整し、給気通路（17b）の出口空気の相対湿度が目標湿度になるようにすることができる。
【００９７】
なお、以上の実施形態は、本質的に好ましい例示であって、本発明、その適用物、あるいはその用途の範囲を制限することを意図するものではない。
【産業上の利用可能性】
【００９８】
以上説明したように、本発明は、空気を調湿する調湿部材を備えた調湿装置に関し、特に調湿部材の再生速度の低減対策について有用である。
【符号の説明】
【００９９】
1   超音波発生器（振動部）
2   超音波輻射板
3   超音波振動子
4   バネ部材（押付）
5   固定台
10    調湿装置
11    ケーシング
20   調湿部
21   調湿ロータ（調湿部材）
30   顕熱熱交換部
31   顕熱用ロータ
35  給気ファン
36  排気ファン
37  再生コイル
38  冷却コイル
50  コントローラ（制御部）
51  超音波レシーバ（検出部）
52  演算部
53  調整部
【図１】
2014167374.tif 000003
【図２】
2014167374.tif 000004
【図３】
2014167374.tif 000005
【図４】
2014167374.tif 000006
【図５】
2014167374.tif 000007
【図６】
2014167374.tif 000008